(57)【特許請求の範囲】
【請求項１】
複数の第１凹状溝と複数の第１磁性体とを有する１つの第１止水体を設け、前記第１凹状溝は、間隔を置いて設置され、それぞれ１つの第１凹状溝は、それぞれ１つの前記第１磁性体が嵌合し１つの平面を形成し、その各１つの第１磁性体の露出した側の面は第１吸着面を有し、その各１つの第１磁性体の幅は前記第１止水体の幅以下である止水材において、
前記止水材は、前記第１止水体で覆われている少なくとも１つの第１金属補強体を含み、
前記止水材は、更に１つの第２止水体を備え、この第２止水体は、複数の第２凹状溝と複数の第２磁性体を有し、前記第２凹状溝は間隔を置いて設置され、各１つの第２凹状溝は各１つの第２磁性体と嵌合し１つの平面を形成し、各１つの第２磁性体の外側に露出する面には、１つの第２吸着面を有し、且つ、各１つの第２磁性体の幅は第２止水体の幅以下とし、前記第２吸着面と第１吸着面は同一の面に設置され、且つ、前記第２止水体と第１止水体はお互いに隣り合って設置されて、前記第１凹状溝と第２凹状溝は互い違いになるように設置されていることを特徴とする止水材。
【請求項２】
前記止水材において、各１つの第１磁性体の形状は、各１つの第１凹状溝の形状に適合することを特徴とする請求項１に記載の止水材。
【請求項３】
前記止水材において、前記第１止水体の側端面は、四辺形或いは多辺形、不規則形、台形であることを特徴とする請求項１に記載の止水材。
【請求項４】
前記止水材において、前記第１止水体は、止水ゴム或いは発泡材、止水スポンジから出来ていることを特徴とする請求項１に記載の止水材。
【請求項５】
前記止水材は、前記第２止水体で覆われている少なくとも１つの第２金属補強体が含まれていることを特徴とする請求項１に記載の止水材。
【請求項６】
前記止水材において、各１つの第２磁性体の形状は、各１つの第２凹状溝の形状に適合することを特徴とする請求項１に記載の止水材。
【請求項７】
前記止水材において、前記第２止水体の側端面は、四辺形或いは多辺形、不規則形、台形であることを特徴とする請求項１に記載の止水材。
【請求項８】
前記止水材において、前記第２止水体は、止水ゴム或いは発泡材、止水スポンジから出来ていることを特徴とする請求項１に記載の止水材。
【発明の詳細な説明】
【技術分野】
【０００１】
本発明はケーソン構造の下端の止水材に関するものであり、ケーソン内への水の侵入を防ぐものである。
【背景技術】
【０００２】
第１図と第２図が示すように、一般的なケーソン工法の工事で重要なことは、１つのケーソンを地盤に沈めることである。
ケーソン１を問題なく沈めるために、ケーソン１の下端には金属刃口１１が設置されていて、更にケーソン工法が用いられる。
ケーソン１内部には、地下水域を通過したことによって蓄積された地下水があるが、前記ケーソン１が地盤内の所定の位置に達した後、その地下水を全て排出し、底面を平坦にする。
更に、ケーソン１内部に地下水の浸透を防ぐために、底盤密封止水の水中コンクリート打設前に、予め潜水師やその他の方法によって既存の止水材１２を金属刃口１１上に貼る。
但し、前記止水材１２は、前記金属刃口１１の全周に渉って貼った後に施工するのだが、潜水師を使って施工する方法は容易ではない。
【０００３】
続いて、前記止水材１２は、前記金属刃口１１の内側側面に貼り、且つ、所定の幅を絶え間なく連続的に止水材１２を貼付する。
この止水材１２は１つの本体１２３を含み、この本体１２３は切り欠き１２４を含み、この切り欠き１２４には１つの磁性体１２５を設置する。
この磁性体１２５は、止水材１２を金属刃口１１に貼り付けるものであり、ぐるりと一周するように形成されていて、底部密封作業によって、ケーソン１内への水の浸入を防ぐものである。
【発明の概要】
【発明が解決しようとする課題】
【０００４】
前記止水材１２について磁性体１２５を使い過ぎていて、更に止水材１２がお互いに隣接する時、この止水材１２の各１つの磁性体１２５がお互いに隣接する必要があり、施工上不便となる。
発明者は、長年にわたる研究開発と実際の経験、多くの試験と改良の経験を通して、以上の欠点を排除できる発明をした。  
【０００５】
本発明の主な目的は、上述の問題を解決し、１つの金属刃口の円周長に十分に応じ、更にその金属刃口に貼る、少なくとも１つの、必要な大きさに応じた一種の止水材を提供することである。
【０００６】
上述の目的を達成するために、本発明は、
一種の止水材を提示し、この止水材には以下が含まれる：
１つの第１止水体、この第１止水体は複数の第１凹状溝を有し、更に複数の第１磁性体を有している；
前記第１凹状溝は、間隔を置いて設置され、各１つの第１凹状溝には各１つの第１磁性体が嵌め込まれ、平面を形成している。
各１つの第１磁性体の外側に露出した面には、１つの第１吸着面を有し、且つ、各１つの第１磁性体の幅は第１止水体の幅と同じか、或いは小さい。
【０００７】
更に、少なくとも１つの第１金属補強体を含む、この第１金属補強体の外側は、第１止水体が覆っている。
更に、各１つの第１磁性体の形状は、各１つの第１凹状溝の形状に嵌合する。
更に、前記第１止水体の側端面は、四辺形或いは多角形、不規則形、台形である。
更に、前記第１止水体は、止水ゴム或いは発泡材料、止水スポンジである。
更に、１つの第２止水体を含んでいる。
この第２止水体は、複数の第２凹状溝を含み、更に複数の第２磁性体も含んでいる。
前記第２凹状溝は間隔を置いて設置されており、各１つの第２凹状溝は各１つの第２磁性体が嵌め込まれ、１つの平面を形成している。
各１つの第２磁性体の外側に露出した面には、１つの第２吸着面を有し、且つ、各１つの第２磁性体の幅は第２止水体の幅と同じか、或いは小さい。
前記第２吸着面と第１吸着面は同一の面になるように設置され、更に前記第２止水体と第１止水体はお互いに隣り合っており、第１凹状溝と第２凹状溝が互い違いに設置されている。
更に、少なくとも１つの第２金属補強体を含み、この第２金属補強体は第２止水体によって覆われている。
更に、各１つの第２磁性体の形状は、各１つの第２凹状溝の形状に嵌合する。
更に、前記第２止水体の側端面は、四辺形或いは多角形、不規則形、台形である。
更に、前記第２止水体は、止水ゴム或いは発泡材料、止水スポンジである。
【課題を解決するための手段】
【０００８】
そこで、この発明は、上述不都合を除去するために、複数の第１凹状溝と複数の第１磁性体とを有する１つの第１止水体を設け、前記第１凹状溝は間隔を置いて設置され、それぞれ１つの第１凹状溝は、それぞれ１つの第１磁性体が嵌合し１つの平面を形成し、その各１つの第１磁性体の露出した側の面は第１吸着面を有し、その各１つの第１磁性体の幅は前記第１止水体の幅以下である止水材において、前記止水材は、前記第１止水体で覆われている少なくとも１つの第１金属補強体を含み、前記止水材は、更に１つの第２止水体を備え、この第２止水体は、複数の第２凹状溝と複数の第２磁性体を有し、前記第２凹状溝は間隔を置いて設置され、各１つの第２凹状溝は各１つの第２磁性体と嵌合し１つの平面を形成し、各１つの第２磁性体の外側に露出する面には、１つの第２吸着面を有し、且つ、各１つの第２磁性体の幅は第２止水体の幅以下とし、前記第２吸着面と第１吸着面は同一の面に設置され、且つ、前記第２止水体と第１止水体はお互いに隣り合って設置されて、前記第１凹状溝と第２凹状溝は互い違いになるように設置されていることを特徴とする。
【発明の効果】
【０００９】
本発明の特徴は、以下の通りである。
（１）本発明は、必要な長さ及び第１磁性体と第２磁性体の必要な配置に適合し、磁性材料の無駄な使用による浪費を無くすことが出来る。
（２）本発明は、施工上不便となる磁性体同士を相互に隣り合わせて貼る必要が無く、且つ、その方向を区別することなく施工作業を行うことができる。
【図面の簡単な説明】
【００１０】
【図１】図１は本発明の従来技術を示す実施概略図である。
【図２】図２は従来技術の止水材の立体図である。
【図３】図３は本発明の第１止水体の立体図である。（実施例１）
【図４】図４は本発明の第１止水体の別の実施立体図である。（実施例１）
【図５】図５は本発明の実施概略図である。（実施例１）
【図６】図６は本発明の第１実施例を示す立体図である。（実施例１）
【図７】図７は本発明の第２実施例を示す立体図である。（実施例２）
【図８】図８は本発明の第３実施例を示す立体図である。（実施例３）
【図９】図９は本発明の第４実施例を示す立体図である。（実施例４）
【図１０】図１０は本発明の第５実施例を示す立体図である。（実施例５）
【図１１】図１１は本発明の第６実施例を示す立体図である。（実施例６）
【図１２】図１２は本発明の第７実施例を示す立体図である。（実施例７）
【発明を実施するための形態】
【００１１】
以下図面に基づいてこの発明の実施例を詳細に説明する。
【実施例１】
【００１２】
以下は付した図に合致し、本発明の構造やどのように組み合わせて使用するかの詳細な説明することによって、本発明の目的や技術内容、特徴やその達成される効果について、より容易に理解できるであろう。
【００１３】
第３図から第５図を参照して下さい。
本発明は一種の止水材２を提示する。
止水材２は、少なくとも１つの第１止水体３と複数個の第１凹状溝３１、複数個の第１磁性体３２によって構成される。
止水材２は、ケーソン５底部の金属刃口５１の内側側面に貼ることによって止水効果が得られる。
前記第１止水体３は、止水ゴム或いは発泡材料、止水スポンジで出来ている。
第１０図から第１２図を参照して下さい。
前記第１止水体３の側端面は、四辺形或いは多角形、不規則形、台形であるが、但し形状はその限りではない。
その目的は、膨張ゴムの体積が増える事によって、金属刃口５１と水中コンクリートの接触面の隙間を満たすことであり、加圧された地下水の通り道を遮断することである。
これにより、より良い止水効果を達成する。
【００１４】
本発明の特徴は、前記第１止水体３の第１凹状溝３１が間隔を開けて設置されていることである。
更に各１つの第１凹状溝３１には第１磁性体３２が配置されている。
第５図から第９図を参照して下さい。
また、前記第１凹状溝３１の形状は、四辺形或いは円形、三角形、多角形、不規則形である。
また、各１つの第１磁性体３２は、各１つの第１凹状溝３１の形状に嵌合する。
各１つの第１凹状溝３１に各１つの第１磁性体３２がはめられた後でも第１止水体３の高さや厚さを超えておらず、一つの平面３３を形成し、第１磁性体３２によってその平面３３が金属刃口５１の内側側面に張り付く。
【００１５】
更に、各１つの第１磁性体３２の外側に露出した一面は１つの第１吸着面３４を有し、この第１吸着面３４は第１止水体３を金属刃口５１上に吸着させ、且つ、第１止水体３をケーソン５上に安定的な固定を確保する。
第１１図及び第１２図を参照して下さい。
本発明の各１つの第１磁性体３２の幅は、第１止水体３の幅と同じか小さく、つまり第１止水体３の幅以下の寸法に出来ていて、それによってより良い吸着面積を得られる。
また、止水材２の内部は、少なくとも１つの第１金属補強体３５を有している。
この第１金属補強体３５は、第１止水体３によって覆われている。
その目的は第１止水体３の強度を補強し、損傷しないようにするためである。
【００１６】
続いて、本発明のより良い実施方法を説明する。
再び第５図と第６図を参照して下さい。
前述の第１止水体３の他にも、少なくとも１つの第２止水体４を含んでいる。
且つ、この第２止水体４と第１止水体３はお互いに平行に隣り合って設置され、第２止水体４の材質は第１止水体３と同じである。
また、前記第２止水体４の側端面は、第１止水体３と符合する。
前記第２止水体４には、複数個の第２凹状溝４１があり、さらに複数個の第２磁性体４２で構成される。
前記第２凹状溝４１は間隔を置いて設置される。
更に、各１つの第２凹状溝４１には第２磁性体４２が配置される。
また、第２凹状溝４１の形状は第１凹状溝３１と同一である。
間隔を置いて設置されているため、第２凹状溝４１と第１凹状溝３１は互い違いになるように設置される。
また、各１つの第２磁性体４２は、第２凹状溝４１の形状に嵌合する。
各１つの第２凹状溝４１は、各１つの第２磁性体４２を嵌め込んだ後も高さや厚さを超えておらず、一つの平面３３を形成し、第２磁性体４２によってこの平面３３が金属刃口５１の内側側面に張り付く。
この平面３３によって第２止水体４と第１止水体３は平行に貼付される。
【００１７】
続いて、各１つの第２磁性体４２の露出した一面は、第２吸着面４３を有する。
この第２吸着面４３は、第２止水体４を金属刃口５１上に貼り付け、且つ、第２止水体４をケーソン５上に安定的な固定を確保する。
則ち、各１つの第２磁性体４２の幅は、第２止水体４の幅と同じか小さく、つまり第２止水体４の幅以下の寸法に出来ていて、第１止水体３と同じ吸着面積となる。
それ以外に、前記第２止水体４は、少なくとも１つの第２金属補強体４４を含む。
この第２金属補強体４４の外側は、その第２止水体４で覆われている。
その目的は、第２止水体４の強度を補強し損壊しないようにするためである。
また、前記第２吸着面４３と第１吸着面３４は同一面に設置され、且つ、金属刃口５１の内側側面に貼り付けられる。
第２止水体４と第１止水体３は互いに隣接して設置される。
また、第１磁性体３２と第２磁性体４２はお互いに互い違いになるように設置される。
これによって平均的な吸着効果が得られ、既存の物と比較して材料の節約が出来る。
【００１８】
実施する際、ケーソン５内には地下水域を通過したことによって水が満たされているのだが、ケーソン５が地盤の所定の位置に到達した後、後工程でケーソン５内に水が浸入するのを防ぐために、先に潜水士によってケーソン内の金属刃口５１の位置に第１止水体３を金属刃口５１をぐるりと一周する方向に貼る。
更に、前記第２止水体４を止水体３とお互いに接するように貼る。
この時も第２止水体４が金属刃口５１をぐるりと一周する方向に貼る。
別の実施形態において、前記第１止水体３と第２止水体４は金属刃口５１上に分けて貼ることが出来る。
それぞれ１つの第１止水体３の側端面は、もう一つ別の第１止水体３の側端面と連接していて円弧を形成している。
更に、前記第２止水体４の側端面は、もう一つ別の第２止水体４の側端面と連接していて円弧を形成している。
それに続く水中コンクリートでの密封作業で、水中コンクリートの強度が十分になるのを待ってケーソン５内の地下水を取り除いた後、第１止水体３と第２止水体４を以てケーソン５内に外部から地下水が浸入するのを防ぐ。
【００１９】
上述のように、本発明は第１磁性体３２と第２磁性体４２を通して、前記第１止水体３と第２止水体４を前記金属刃口５１上に吸着させ、底部の密封完了後にケーソン５内に水が浸入してこないようにする。
各１つの第１磁性体３２と各１つの第２磁性体４２は、互い違いになるように間隔を開けて設置され、金属刃口５１に貼る既存の止水材１２の全数量のうちの全ての磁性体１２４の数量を減らすことができ、またそれと同等の効果が得られる。
施工コストからすれば、相対的にかなり節約できる。
更に、既存の止水材１２は、片側に磁性体１２５が貼られているが、それと比べて金属刃口５１上により平均的に貼る事が出来る。
【００２０】
しかし、上述は本発明の好ましい実施例を示しているのであり、その目的は該当する事柄に習熟した者が本発明の内容をより良く理解して実践するためであり、本発明実施の範囲をそれに限定するものではない。
従って、ここで記述した形状や構造、特徴などの均等変化や装飾なども、本発明の申請範囲に含めるべきである。
【符号の説明】
【００２１】
１  ケーソン
１１  金属刃口
１２  止水材
１２３  本体
１２４  切り欠き
１２５  磁性体
（本発明）
２  止水材
３  第１止水体
３１  第１凹状溝
３２  第１磁性体
３３  平面
３４  第１吸着面
３５  第１金属補強体
４  第２止水体
４１  第２凹状溝
４２  第２磁性体
４３  第２吸着面
４４  第２金属補強体
５  ケーソン
５１  金属刃口
【図１】
0006787696.tif 000002
【図２】
0006787696.tif 000003
【図３】
0006787696.tif 000004
【図４】
0006787696.tif 000005
【図５】
0006787696.tif 000006
【図６】
0006787696.tif 000007
【図７】
0006787696.tif 000008
【図８】
0006787696.tif 000009
【図９】
0006787696.tif 000010
【図１０】
0006787696.tif 000011
【図１１】
0006787696.tif 000012
【図１２】
0006787696.tif 000013